(57)【要約】【課題】金属製の被着物に貼り付けた場合でも、正常に作動するＲＦＩＤタグ及びその使用方法を提供する。【解決手段】ＲＦＩＤタグ１は、帯状のシール２上に剥離可能に連続的に複数個配置されており、裏面に糊材３が付着するタグ４は印字部６とＩＣチップ及びアンテナを備え通信装置との間で通信するＲＦＩＤ５が配置される配置部７とに区分け形成されている。配置部７は、ＲＦＩＤ５のアンテナと被着物（図示せず）との間を離間保持させる間隔Ｌを持たせるスペース形成部８になっている。【選択図】図２
2009193262.tif 000002
【特許請求の範囲】
【請求項１】
裏面の糊材により金属からなる被着物に貼り付けるタグの一半部に印字部、他半部にＩＣチップ及びアンテナを備えたＲＦＩＤを配置する配置部を区分けして形成するとともに、上記配置部はＲＦＩＤのアンテナと被着物との間を離間保持する間隔調整可能なスペース形成部を有し、このスペース形成部はタグ部材自体により形成された弾性変形部にて構成されたことを特徴とするＲＦＩＤタグ。
【請求項２】
前記スペース形成部は被着物への貼り付け時に印字部方向に折畳み、折畳量により被着物との間隔が調整可能に形成されて構成されたことを特徴とする請求項１記載のＲＦＩＤタグ。
【請求項３】
前記スペース形成部は被着物への貼り付け時に印字部方向に巻き込み、巻込量により被着物との間隔が調整可能に形成されて構成されたことを特徴とする請求項１記載のＲＦＩＤタグ。
【請求項４】
前記スペース形成部は被着物への貼り付け時に印字部側に袋状に折り返され、折り返し量により被着物との間隔が調整されて形成され、この間隔内にスペーサが挿入されてＲＦＩＤのアンテナと被着物との間が保持可能に構成されたことを特徴とする請求項１記載のＲＦＩＤタグ。
【請求項５】
前記タグは弾力性のある部材により形成され、スペース形成部は被着物への貼り付け時に印字部側に折り返され間隔を存する輪状に変形されて構成されたことを特徴とする請求項１記載のＲＦＩＤタグ。
【請求項６】
前記スペース形成部はＲＦＩＤの装着面の裏面側にスペーサを設けたことを特徴とする請求項１に記載のＲＦＩＤタグ。
【請求項７】
裏面の糊材により金属製品等被着物に貼付するタグを一半部に表面に印字する印字部、他半部にＩＣチップ及びアンテナを備えたＲＦＩＤを配置する配置部に区分け形成されたＲＦＩＤタグであって、
上記印字部はＲＦＩＤの長尺部の長さに合わせて切り取り可能に構成されたことを特徴とするＲＦＩＤタグ。
【請求項８】
ＩＣチップ及びアンテナを備えたＲＦＩＤを配置したタグを裏面の糊材により金属製品等被着物に貼付するＲＦＩＤタグであって、
上記ＲＦＩＤはタグの裏面と糊材との間に配置されて構成されたことを特徴とするＲＦＩＤタグ。
【請求項９】
ＩＣチップ及びアンテナを備えたＲＦＩＤを配置したタグを裏面の糊材により金属製品等被着物に貼付するＲＦＩＤタグであって、
上記タグは透明の部材により形成されて構成されたことを特徴とするＲＦＩＤタグ。
【発明の詳細な説明】
【技術分野】
【０００１】
本願発明はＲＦＩＤタグに係り、特に金属性の製品の識別データなどを記録し、製品の移動に追随移動させることができるＲＦＩＤに関する。
【背景技術】
【０００２】
非接触でデータを送受信できるＲＦＩＤタグは生産管理、履歴管理等のため多くの製品に貼り付けられて幅広く利用されている。このＲＦＩＤタグを製品に貼付けて使用する際には、製品毎にその都度、管理データやＩＤ番号をＩＣチップに記録するとともに、表面に管理データの識別可能な事項を印字して使用する。このため、大量の製品を連続して処理できるように、シールに剥離可能に連続的に貼り付けられており、ラベルプリンタにより連続的に印字可能になっている。
【０００３】
ところで、このＲＦＩＤタグは、さまざまな製品に貼り付けられて使用されるが、金属製のものに貼り付けた場合には、通信手段によるデータの読み出し、書き込みの際には、不都合が生じる。すなわち、アンテナは通常、平板状にタグ上に配置されていることから、アンテナに発生する磁束は金属板を貫通するが、貫通により金属内に渦電流が発生することになり、この渦電流によりアンテナの電波が相殺されることになるため、正常に作動しないという問題がある。
【０００４】
そこで、この金属内に発生する渦電流の影響を防止するためのものとして、特許文献１、特許文献２のようなものがある。特許文献１のものは、タグに空間部を作り、その空間部内にアンテナ部分を設けたものであり、また、特許文献２のものはタグの端を折り返してＲＦＩＤを金属から離間させたものである。
【特許文献１】特開２００７−１６４３９９号
【特許文献２】ＷＯ２００６／０２７４０９  Ａ２
【０００５】
ところが、特許文献１のものは、タグの空間部にＲＦＩＤを設けものであるためこれを実際に管理する製品に貼り付けた場合には、搬送の際他のものにぶつかったり、押圧されたりして、変形し、正常に作動しない場合があるため、使用するには再度空間部を元に戻さなければならない問題があり、また、特許文献２のものはタグの折り返した部分にアンテナが配置されるため、やはり搬送の際他のものにぶつかったり、押圧されたりして、変形し、正常に作動しない恐れがあった。
【発明の開示】
【発明が解決しようとする課題】
【０００６】
本発明では、タグを金属製の被着物への貼り付け時にＲＦＩＤと被着物との間を離間保持可能に形成することにより、金属製の被着物に貼り付けた場合でも、
正常に作動するＲＦＩＤタグを提供する。また、タグ自体により被着物との間を離間保持可能に形成することにより、別途スペーサが不要なことから、複数個が配置され連続的に印字して使用することができるシール状のタグにすることができ、貼り付けに手間取ることがないＲＦＩＤタグ及び使用方法を提供する。さらに、被着材に貼り付けた状態で、他のものにぶつかったり、押圧された場合でも、変形することなく、正常に作動させることができるＲＦＩＤタグを提供する。
【課題を解決するための手段】
【０００７】
本発明は、上記課題を解決するために、裏面の糊材により金属からなる被着物に貼り付けるタグの一半部に印字部、他半部にＩＣチップ及びアンテナを備えたＲＦＩＤを配置する配置部を区分けして形成するとともに、上記配置部はＲＦＩＤのアンテナと被着物との間を離間保持する間隔調整可能なスペース形成部を有し、このスペース形成部はタグ部材自体により形成された弾性変形部にて構成した。
【０００８】
また、本発明は、前記スペース形成部は被着物への貼り付け時に印字部方向に折畳み、折畳量により被着物との間隔が調整可能に形成されて構成された。
また、本発明は、前記スペース形成部は被着物への貼り付け時に印字部方向に巻き込み、巻込量により被着物との間隔が調整可能に形成されて構成された。
【０００９】
また、本発明は、前記スペース形成部は被着物への貼り付け時に印字部側に折り返され、折り返し量により被着物との間隔が調整されて形成され、この間隔内にスペーサが挿入されてＲＦＩＤのアンテナと被着物との間が保持可能に構成された。
【００１０】
また、本発明は、前記スペース形成部は被着物への貼り付け時に印字部側袋状に折り返され、折り返し量により被着物との間隔が調整されて形成され、この間隔内にスペーサが挿入されてＲＦＩＤのアンテナと被着物との間が保持可能に構成された。
【００１１】
また、本発明は、前記タグは弾力性のある部材により形成され、スペース調整部は被着物への貼り付け時に印字部側に折り返され間隔を存する輪状に変形されて構成された。
また、本発明は、前記スペース形成部は印字部側に袋状に折り返されて形成され、この袋状部分にスペーサを挿入可能である構成とした。
【００１２】
また、本発明は、裏面の糊材により金属製品等被着物に貼り付けるタグの一半部に印字部、他半部にＩＣチップ及びアンテナを備えたＲＦＩＤを配置する配置部を区分けして形成して構成された。
【００１３】
また、本発明は、裏面の糊材により金属製品等被着物に貼付するタグを一半部に表面に印字する印字部、他半部にＩＣチップ及びアンテナを備えたＲＦＩＤを配置する配置部に区分け形成されたＲＦＩＤタグであって、上記印字部はＲＦＩＤの長尺部の長さに合わせて切り取り可能に構成された。
【００１４】
また、本発明は、ＩＣチップ及びアンテナを備えたＲＦＩＤを配置したタグを裏面の糊材により金属製品等被着物に貼付するＲＦＩＤタグであって、上記ＲＦＩＤはタグの裏面と糊材との間に配置されて構成された。
【００１５】
また、ＩＣチップ及びアンテナを備えたＲＦＩＤを配置したタグを裏面の糊材により金属製品等被着物に貼付するＲＦＩＤタグであって、上記タグは透明の部材により形成されて構成された。
【００１６】
また、本発明は、裏面の糊材により金属製品等被着物に貼り付けるタグの一半部に印字部、他半部にＩＣチップ及びアンテナを備えたＲＦＩＤを配置する配置部が設けられたタグを金属製品等被着物に貼り付けて使用するＲＦＩＤタグの使用方法であって、上記タグは被着物への貼り付け時に、印字部に印字するとともに、配置部のスペース調整部にＲＦＩＤのアンテナと被着物との間を離間保持させる間隔を形成させる構成とした。
【００１７】
また、本発明は、前記スペース調整部を印字部方向に複数回折畳み、折畳量により被着材との間を離間させて間隔を調整した後、タグを被着物に貼り付ける構成とした。
【００１８】
また、本発明は、前記スペース調整部を印字部方向に巻き込んで、巻込量により被着材との間を離間させて間隔を調整した後、タグを被着物に貼り付ける構成とした。
【００１９】
また、本発明は、前記スペース調整部を印字部側に折り返した後に、折返しにより生じる間隔内にスペーサを挿入する構成とした。
【００２０】
また、本発明は、前記スペース調整部は印字部側に袋状に折り返し、折り返しにより生じる間隔内にスペーサを挿入する構成とした。
さらに、本発明は、前記弾力性のある部材により形成されたタグを印字部側に折り返した後、折返しにより生じる輪状の間隔内にスペーサを挿入する構成とした。
【発明の効果】
【００２１】
本発明によれば、配置部はＲＦＩＤのアンテナと被着物との間を離間保持させる間隔を存して調整可能なスペース調整部を有して形成されていることにより、使用時には、印字部に必要事項を印字するとともに、変形部を被着物との間を離間保持させる間隔を持たせて調整した後、タグを被着物に貼り付けると、ＲＦＩＤのアンテナと被着物との間がスペース調整部の間隔により離間保持され、特に、金属製の被着物の場合には、通信手段からの電波により誘起される渦電流の影響を防止して正常に作動させることができるとともに、タグは搬送の際他のものにぶつかったり、押圧されたりしても、スペース調整部により変形が防止され、正常に作動させることができる上に、印字部とＲＦＩＤを配置する配置部とが区分け形成されているので、ＲＦＩＤの厚み等に邪魔されることなく印字作業を行うことができる。
【００２２】
また、本発明によれば、スペース調整部は被着物への貼り付け時に印字部方向に複数回折畳んで変形され、折畳量により間隔が調整されることにより、タグ自体がスペーサとなり、別途他の部材によるスペーサが不要で他の部材による厚みを増加させることがないので、複数個が配置され連続的に印字して使用することができるシール状のタグに形成することができ、貼り付け作業を容易に行うことができる。
【００２３】
また、本発明によれば、スペース調整部は被着物への貼り付け時に印字部方向に巻き込んで変形され巻込量により被着物との間隔が調整されることにより、タグ自体がスペーサとなり、別途他の部材によるスペーサが不要で他の部材による厚みを増加させることがないので、複数個が配置され連続的に印字して使用することができるシール状のタグに形成することができ、貼り付け作業を容易に行うことができる。
【００２４】
また、本発明によれば、スペース調整部は被着物への貼り付け時に印字部側に複数回折り返されてＲＦＩＤのアンテナと被着物との間を離間保持させるスペーサを挿入可能に形成され、スペーサは貼り付け時にスペース調整部に挿入されるので、スペーサが邪魔になることなくシール状のタグに形成することができとともに、スペーサによりより確実にＲＦＩＤのアンテナと被着部との間を離間保持することができる。
【００２５】
また、本発明によれば、スペース調整部は被着物への貼り付け時に印字部側に袋状に折り返されて、折り返し量により被着物との間隔が調整され、スペーサは貼り付け時にこの間隔内に挿入されるので、この間隔内にスペーサが挿入されてＲＦＩＤのアンテナと被着物との間を離間保持することができる。
【００２６】
また、本発明によれば、前記タグは弾力性のある部材により形成され、スペース調整部は被着物への貼り付け時に印字部側に折り返されて間隔を存する輪状に変形されて構成されることにより、その弾力によりＲＦＩＤのアンテナと被着物との間が離間保持され、特に、金属製の被着物の場合には、通信手段からの電波により誘起される渦電流の影響を防止して正常に作動させることができるとともに、タグは搬送の際他のものにぶつかったり、押圧されたりしても、その弾力により容易に元状態に復帰して変形が防止されて、正常に作動させることができる。
【００２７】
また、本発明によれば、前記スペース調整部は印字部側に袋状に折り返された後、この袋状部分にスペーサを挿入する構成としたことにより、複数個が配置され連続的に印字して使用することができるシール状のタグに形成することができ、貼り付け作業を容易に行うことができる。
【００２８】
また、本発明によれば、裏面の糊材により金属製品等被着物に貼り付けるタグの一半部に印字部、他半部にＩＣチップ及びアンテナを備えた配置部に区分け形成されていることにより、ＲＦＩＤの厚み等に邪魔されることなく印字部に確実に印字作業を行うことができる。
【００２９】
また、本発明によれば、裏面の糊材により金属製品等被着物に貼付するタグを一半部に表面に印字する印字部、他半部にＩＣチップ及びアンテナを備えたＲＦＩＤを配置する配置部に区分け形成されたＲＦＩＤタグであって、上記印字部はＲＦＩＤの長尺部の長さに合わせて切り取り可能に構成されたことにより、貼り付け場所が狭い小型被着材にも貼り付けて使用することができる。
【００３０】
また、本発明によれば、ＩＣチップ及びアンテナを備えたＲＦＩＤを配置したタグを裏面の糊材により金属製品等被着物に貼付するＲＦＩＤタグであって、上記ＲＦＩＤはタグの裏面と糊材との間に配置されて構成されていることにより、ＲＦＩＤはタグによって保護され、被着部に貼り付けられた状態で他のものに当たったりしても、タグから剥がれるおそれがなく、特に、小片に形成されるＲＦＩＤの剥離が防止でき、正常に作動させることができる。
【００３１】
また、本発明によれば、印字部はＲＦＩＤの長尺部の長さに合わせて切り取り可能に構成されたことより、印字部が小型になりタグ全体の小型化を図ることができ、貼り付け場所を確保することが困難な小型の被着物に貼り付けることができる。また、本発明によれば、タグは透明の部材により形成されて構成されたことにより、印字部を重ねたり、被覆しても印字を識別することができるので、印字部が小型になりタグ全体の小型化を図ることができ、貼り付け場所を確保することが困難な小型の被着物に貼り付けることができる。
【００３２】
また、本発明によれば、タグは被着物への貼り付け時に、印字部に印字するとともに、配置部のスペース形成部にＲＦＩＤのアンテナと被着物との間を離間させる間隔を形成させることにより、ＲＦＩＤのアンテナと被着物との間がスペース調整部の間隔により離間保持され、特に、金属製の被着物の場合には、通信手段からの電波により誘起される渦電流の影響を防止して正常に作動させることができるとともに、タグは搬送の際他のものにぶつかったり、押圧されたりしても、変形部により変形が防止され、正常に作動させることができる。
【００３３】
また、本発明によれば、前記スペース形成部を印字部方向に複数回折畳み、折畳量により被着材との間を離間させて間隔を調整した後、タグを被着物に貼り付けることにより、タグ自体がスペーサとなり、別途他の部材によるスペーサが不要で他の部材による厚みを増加させることがないので、複数個が配置され連続的に印字して使用することができるシール状のタグに形成することができ、貼り付け作業を容易に行うことができる。
【００３４】
また、本発明によれば、前記スペース形成部を印字部方向に複数回折畳み、折畳量により被着材との間を離間させて間隔を調整した後、タグを被着物に貼り付けることにより、タグ自体がスペーサとなり、別途他の部材によるスペーサが不要で他の部材による厚みを増加させることがないので、複数個が配置され連続的に印字して使用することができるシール状のタグに形成することができ、貼り付け作業を容易に行うことができる。
【００３５】
また、本発明によれば、前記スペース形成部を印字部方向に巻き込んで、巻込量により被着材との間を離間させて間隔を調整した後、タグを被着物に貼り付けることにより、タグ自体がスペーサとなり、別途他の部材によるスペーサが不要で他の部材による厚みを増加させることがないので、複数個が配置され連続的に印字して使用することができるシール状のタグに形成することができ、貼り付け作業を容易に行うことができる。
【００３６】
また、本発明によれば、前記スペース形成部を印字部側に折り返した後に、折返しにより生じる間隔内にスペーサを挿入することにより、スペーサは貼り付け時にスペース調整部に挿入されるので、スペーサが邪魔になることなくシール状のタグに形成することができとともに、スペーサによりより確実にＲＦＩＤのアンテナと被着部との間を離間保持することができる。
【００３７】
また、本発明によれば、前記スペース形成部は印字部側に袋状に折り返し、折り返しにより生じる間隔内にスペーサを挿入することにより、スペーサは貼り付け時にスペース調整部に挿入されるので、スペーサが邪魔になることなくシール状のタグに形成することができとともに、補助材によりより確実にＲＦＩＤのアンテナと被着部との間を離間保持することができる。
【００３８】
さらに、本発明によれば、前記弾力性のある部材により形成されたタグを印字部側に折り返した後、折返しにより生じる輪状の間隔内にスペーサを挿入することにより、スペーサは貼り付け時にスペース調整部に挿入されるので、スペーサが邪魔になることなくシール状のタグに形成することができとともに、スペーサにより確実にＲＦＩＤのアンテナと被着部との間を離間保持することができる。
【発明を実施するための最良の形態】
【００３９】
図１はシール状に連続的に配置された状態のＲＦＩＤタグの平面図、図２はシール上に配置されたＲＦＩＤタグの断面図、図３はシール上に配置された状態のＲＦＩＤタグ、図４はラベルプリンタにより印字され被着物に貼り付け際の状態のＲＦＩＤタグの斜視図である。
【００４０】
ＲＦＩＤタグ１は、帯状のシール２上に剥離可能に連続的に複数個配置されており、剥離して被着物へ貼り付けるようになっている。このＲＦＩＤタグ１は裏面に剥離可能な糊材３が付着するタグ４と、ＩＣチップ及びアンテナを備え通信装置との間で通信するＲＦＩＤ５が配置されている。ＲＦＩＤ５は長方形に形成されている。
タグ４は１半部がラベルプリンタにより印字可能な印字部６と他半部がＲＦＩＤ５を配置する配置部７とに区分け形成されている。
【００４１】
配置部７にはＲＦＩＤ５がその長尺側をシール２の幅方向の縁部と平行させて縁部近傍に配置されており、この配置部７はスペース形成部８に形成されている。スペース形成部８にはシール２の幅方向の縁部と平行して複数本の折れ線９、９、９、・・・が形成されており、図４に示すように、この折れ線９の折り曲げ回数により、ＲＦＩＤのアンテナと被着物（図示せず）との間の間隔が調整可能になっている。
【００４２】
上記構成において、ＲＦＩＤタグ１を金属製品等被着物に貼り付けるには、まず、シール２上にあるＲＦＩＤ５の印字部６にラベルプリンタによりシリアルナンバー等必要事項を印字した後、スペース形成部８を折れ線９の位置で所望回数折畳むと、タグ１の表面と被着物（図示せず）の間に間隔Ｌが生じ、タグ３の底面から離間した位置にＲＦＩＤ５が位置することになる。この状態から、ＲＦＩＤタグ１をシール２から剥離し、その糊材３により適宜、金属製品等の被着物に貼り付ける。被着物にＲＦＩＤタグ１が貼り付けられた状態では、ＲＦＩＤ５あるいはＲＦＩＤ５を形成するアンテナは被着物との間でスペーサ部８の厚みにより生じる間隔Ｌ分だけ離間保持される。この状態で、通信装置によりＲＦＩＤ５との間で通信を行うと、特に、被着物が金属製の場合には、金属内に渦電流が誘起されるが、アンテナは被着物との間でスペーサ形成部８の厚みによる間隔Ｌの分だけ離間保持されているので、渦電流の影響を防止して正常に作動させることができる。
【００４３】
また、ＲＦＩＤタグ１は搬送の際、他のものにぶつかったり、押圧されたりしても、スペース調整部８の厚みにより変形が防止される他に、ＲＦＩＤ５はタグ４の裏面と糊材３との間に介在していることにより、変形、剥奪が防止されるので、正常に作動させることができる。
【００４４】
また、印字部６とＲＦＩＤ５を配置する配置部７とを区分け形成してあるので、ＲＦＩＤ５の厚み等に邪魔されることなく印字部６に確実に印字作業を行うことができる。
【００４５】
図５は他の実施例を示すシール状に連続的に配置された状態のＲＦＩＤタグの斜視図、図６はラベルプリンタにより印字され被着物に貼り付け際のＲＦＩＤタグの斜視図である。
このものは、配置部７にはＲＦＩＤ５がその長手方向をシール２の幅方向の縁部と平行させて中央に配置されており、この配置部７全域がスペース形成部８となっている。スペース形成部８は図６に示すように、巻き込むことにより、ＲＦＩＤ５のアンテナと被着物（図示せず）との間を離間保持させる間隔Ｌを持たせて変形可能となっている。
【００４６】
また、図７は他の実施例を示すシール上に配置された状態のＲＦＩＤタグの斜視図、図８はシール上に配置されたＲＦＩＤタグの断面図、図９はラベルプリンタにより印字され被着物に貼り付ける際の状態のＲＦＩＤタグの斜視図、図１０はスペーサを挿入した状態の斜視図である。
このものは、印字部６がＲＦＩＤ５の長尺部位の長さに合わせて切り取り可能に形成されたものであり、切取線１１を介して矩形の切取部６ａが配置部７と切り離し可能に形成されている。配置部７の長尺方向は折れ線１２を印字部６側に折り返すことにより間隔Ｌが形成され、この間隔Ｌ内にスペーサ１０が挿入される。また、上記ＲＦＩＤ５は図８示すように、タグ４と剥離紙１３が裏付された糊材３との間に介装されて保護されている。
【００４７】
このものは、切取部６ａを切り離すことにより印字部６が小型になるため、小型の被着材にも貼り付けて使用することができる。また、スペーサ１０によりＲＦＩＤ５と被着物との間を間隔Ｌの分だけ確実に離間させることができる。
【００４８】
また、図１１は他の実施例を示すシール上に配置された状態のＲＦＩＤタグの斜視図、図１２はラベルプリンタにより印字され被着物に貼り付け際の状態のＲＦＩＤタグの斜視図である。
このものは、スペース形成部８が印字部６側に袋状に折り返された後、この袋状部分にスペーサ１０を挿入して間隔Ｌを形成したものである。スペーサ１０によりＲＦＩＤ５と被着物との間を間隔Ｌの分だけ確実に離間させることができる。
【００４９】
また、図１３は他の実施例を示すシール上に配置された状態のＲＦＩＤタグの斜視図、図１４は配置部を印字部側の折り返した状態のＲＦＩＤタグの斜視図である。
このものは、透明で弾力性のある部材のタグ４により形成されたものであり
スペース形成部８は被着物への貼り付け時に印字部６側に折り返され間隔を存する輪状に変形されて構成される。その弾力によりＲＦＩＤ５のアンテナと被着物との間が離間保持され、特に、金属製の被着物の場合には、通信手段からの電波により誘起される渦電流の影響を防止して正常に作動させることができるとともに、タグは搬送の際他のものにぶつかったり、押圧されたりしても、その弾力により容易に元状態に復帰して変形が防止されて、正常に作動させることができる。また、タグ４が透明な部材により形成されていることにより、印字部６に配置部７を重ねても印字部６を透視することができるので、タグ４を小型にすることができ、貼り付け場所の確保の困難な小型の被着物にも貼り付けることができる。
【００５０】
また、図１５は他の実施例を示すシール状に配置された状態のＲＦＩＤタグの斜視図、図１６はラベルプリンタにより印字され被着物に貼り付け際のＲＦＩＤタグの斜視図、図１７は配置部を印字部側の折り返した状態のＲＦＩＤタグの斜視図である。
このものは、透明で弾力性のあるタグ４により形成されるとともに、印字部６がＲＦＩＤ５の長尺部位の長さに合わせて切り取り可能に形成されたものである。このものは、切取線１１を介して矩形の切取部６ａが配置部７と切り離し可能に形成されている。配置部７の長尺方向は折り返すことにより輪状の間隔Ｌが形成されて保持される。このものは、切取部６ａを切り離すことにより印字部６が小型になるとともに、印字部６に配置部７を重ねても印字部６を透視することができるので、タグ４を小型にすることができ、貼り付け場所の確保の困難な小型の被着物にも貼り付けることができる。
【図面の簡単な説明】
【００５１】
【図１】シール上に連続的に配置された状態のＲＦＩＤタグの平面図
【図２】シール上に配置されたＲＦＩＤタグの断面図
【図３】シール上に配置された状態のＲＦＩＤタグの斜視図
【図４】ラベルプリンタにより印字され被着物に貼り付け際の状態のＲＦＩＤタグの斜視図
【図５】他の実施例を示すシール上に連続的に配置された状態のＲＦＩＤタグの斜視図
【図６】他の実施例を示すラベルプリンタにより印字され被着物に貼り付け際のＲＦＩＤタグの斜視図
【図７】他の実施例を示すシール状に配置された状態のＲＦＩＤタグの斜視図
【図８】他の実施例を示すシール上に配置されたＲＦＩＤタグの断面図
【図９】他の実施例を示すラベルプリンタにより印字され被着物に貼り付け際の状態のＲＦＩＤタグの斜視図
【図１０】他の実施例を示すスペーサを挿入した状態の斜視図
【図１１】他の実施例を示すシール状に配置された状態のＲＦＩＤタグの斜視図
【図１２】他の実施例を示すラベルプリンタにより印字され被着物に貼り付け際の状態のＲＦＩＤタグの斜視図
【図１３】他の実施例を示すシール上に配置された状態のＲＦＩＤタグの斜視図
【図１４】他の実施例を示す配置部を印字部側の折り返した状態のＲＦＩＤタグの斜視図
【図１５】他の実施例を示すシール上に配置された状態のＲＦＩＤタグの斜視図
【図１６】他の実施例を示すラベルプリンタにより印字され被着物に貼り付け際のＲＦＩＤタグの斜視図
【図１７】他の実施例を示す配置部を印字部側の折り返した状態のＲＦＩＤタグの斜視図
【符号の説明】
【００５２】
１………ＲＦＩＤタグ、２………シール、３………糊材、４………タグ、５………ＲＦＩＤ、６………印字部、６ａ………切取部、７………配置部、８………スペース形成部、９………折れ線、１０………スペーサ、１１………切取線、１２………折れ線。
【図１】
2009193262.tif 000003
【図２】
2009193262.tif 000004
【図３】
2009193262.tif 000005
【図４】
2009193262.tif 000006
【図５】
2009193262.tif 000007
【図６】
2009193262.tif 000008
【図７】
2009193262.tif 000009
【図８】
2009193262.tif 000010
【図９】
2009193262.tif 000011
【図１０】
2009193262.tif 000012
【図１１】
2009193262.tif 000013
【図１２】
2009193262.tif 000014
【図１３】
2009193262.tif 000015
【図１４】
2009193262.tif 000016
【図１５】
2009193262.tif 000017
【図１６】
2009193262.tif 000018
【図１７】
2009193262.tif 000019